【手続補正書】
【提出日】平成18年8月28日(2006.8.28)
【手続補正１】
【補正対象書類名】明細書
【補正対象項目名】特許請求の範囲
【補正方法】変更
【補正の内容】
【特許請求の範囲】
【請求項１】
式I：
【化１】
2002525358.tif 000001
[式中、R3は(1-6C)アルキルまたはハロゲノであり；
mは0、1、2または3であり；
R1は、ヒドロキシ、ハロゲノ、トリフルオロメチル、シアノ、メルカプト、ニトロ、アミノ、カルボキシ、カルバモイル、ホルミル、(1-6C)アルキル、(2-6C)アルケニル、(2-6C)アルキニル、(1-6C)アルコキシ、(1-3C)アルキレンジオキシ、(1-6C)アルキルチオ、(1-6C)アルキルスルフィニル、(1-6C)アルキルスルホニル、(1-6C)アルキルアミノ、ジ-[(1-6C)アルキル]アミノ、(1-6C)アルコキシカルボニル、N-(1-6C)アルキルカルバモイル、N,N-ジ-[(1-6C)アルキル]カルバモイル、(2-6C)アルカノイル、(2-6C)アルカノイルオキシ、(1-6C)アルカノイルアミノ、N-(1-6C)アルキルスルファモイル、N,N-ジ-[(1-6C)アルキル]スルファモイル、(1-6C)アルカンスルホニルアミノ、N-(1-6C)アルキル-(1-6C)アルカンスルホニルアミノ、ハロゲノ-(1-6C)アルキル、ヒドロキシ-(1-6C)アルキル、(1-6C)アルコキシ-(1-6C)アルキル、シアノ-(1-6C)アルキル、アミノ-(1-6C)アルキル、(1-6C)アルキルアミノ-(1-6C)アルキル、ジ-[(1-6C)アルキル]アミノ-(1-6C)アルキル、カルボキシ-(1-6C)アルキル、(1-6C)アルコキシカルボニル-(1-6C)アルキル、カルバモイル-(1-6C)アルキル、N-(1-6C)アルキルカルバモイル-(1-6C)アルキル、N,N-ジ-[(1-6C)アルキル]カルバモイル-(1-6C)アルキル、ハロゲノ-(2-6C)アルコキシ、ヒドロキシ-(2-6C)アルコキシ、(1-6C)アルコキシ-(2-6C)アルコキシ、シアノ-(1-6C)アルコキシ、カルボキシ-(1-6C)アルコキシ、(1-6C)アルコキシカルボニル-(1-6C)アルコキシ、カルバモイル-(1-6C)アルコキシ、N-(1-6C)アルキルカルバモイル-(1-6C)アルコキシ、N,N-ジ-[(1-6C)アルキル]カルバモイル-(1-6C)アルコキシ、アミノ-(2-6C)アルコキシ、(1-6C)アルキルアミノ-(2-6C)アルコキシ、ジ-[(1-6C)アルキル]アミノ-(2-6C)アルコキシ、ハロゲノ-(2-6C)アルキルアミノ、ヒドロキシ-(2-6C)アルキルアミノ、(1-6C)アルコキシ-(2-6C)アルキルアミノ、シアノ-(1-6C)アルキルアミノ、カルボキシ-(1-6C)アルキルアミノ、(1-6C)アルコキシカルボニル-(1-6C)アルキルアミノ、カルバモイル-(1-6C)アルキルアミノ、N-(1-6C)アルキルカルバモイル-(1-6C)アルキルアミノ、N,N-ジ-[(1-6C)アルキル]カルバモイル-(1-6C)アルキルアミノ、アミノ-(2-6C)アルキルアミノ、(1-6C)アルキルアミノ-(2-6C)アルキルアミノ、ジ-[(1-6C)アルキル]アミノ-(2-6C)アルキルアミノ、N-(1-6C)アルキル-ハロゲノ-(1-6C)アルキルアミノ、N-(1-6C)アルキル-ヒドロキシ-(2-6C)アルキルアミノ、N-(1-6C)アルキル-(1-6C)アルコキシ-(2-6C)アルキルアミノ、N-(1-6C)アルキル-シアノ-(1-6C)アルキルアミノ、N-(1-6C)アルキル-カルボキシ-(1-6C)アルキルアミノ、N-(1-6C)アルキル-(1-6C)アルコキシカルボニル-(1-6C)アルキルアミノ、N-(1-6C)アルキル-カルバモイル-(1-6C)アルキルアミノ、N-(1-6C)アルキル-N-(1-6C)アルキルカルバモイル-(1-6C)アルキルアミノ、N-(1-6C)アルキル-N,N-ジ-[(1-6C)アルキル]カルバモイル-(1-6C)アルキルアミノ、N-(1-6C)アルキル-アミノ-(2-6C)アルキルアミノ、N-(1-6C)アルキル-(1-6C)アルキルアミノ-(2-6C)アルキルアミノ、N-(1-6C)アルキル-ジ-[(1-6C)アルキル]アミノ-(2-6C)アルキルアミノ、ハロゲノ-(2-6C)アルカノイルアミノ、ヒドロキシ-(2-6C)アルカノイルアミノ、(1-6C)アルコキシ-(2-6C)アルカノイルアミノ、シアノ-(2-6C)アルカノイルアミノ、カルボキシ-(2-6C)アルカノイルアミノ、(1-6C)アルコキシカルボニル-(2-6C)アルカノイルアミノ、カルバモイル-(2-6C)アルカノイルアミノ、N-(1-6C)アルキルカルバモイル-(2-6C)アルカノイルアミノ、N,N-ジ-[(1-6C)アルキル]カルバモイル-(2-6C)アルカノイルアミノ、アミノ-(2-6C)アルカノイルアミノ、(1-6C)アルキルアミノ-(2-6C)アルカノイルアミノ、またはジ-[(1-6C)アルキル]アミノ-(2-6C)アルカノイルアミノであるか、
R1はアリール、アリール-(1-6C)アルキル、アリール-(1-6C)アルコキシ、アリールオキシ、アリールアミノ、N-(1-6C)アルキル-アリールアミノ、アリール-(1-6C)アルキルアミノ、N-(1-6C)アルキル-アリール-(1-6C)アルキルアミノ、アロイルアミノ、アリールスルホニルアミノ、N-アリールスルファモイル、アリール-(2-6C)アルカノイルアミノ、ヘテロアリール、ヘテロアリール-(1-6C)アルキル、ヘテロアリールオキシ、ヘテロアリール-(1-6C)アルコキシ、ヘテロアリールアミノ、N-(1-6C)アルキル-ヘテロアリールアミノ、ヘテロアリール-(1-6C)アルキルアミノ、N-(1-6C)アルキル-ヘテロアリール-(1-6C)アルキルアミノ、ヘテロアリールカルボニルアミノ、ヘテロアリールスルホニルアミノ、N-ヘテロアリールスルファモイル、ヘテロアリール-(2-6C)アルカノイルアミノ、ヘテロサイクリル、ヘテロサイクリル-(1-6C)アルキル、ヘテロサイクリルオキシ、ヘテロサイクリル-(1-6C)アルコキシ、ヘテロサイクリルアミノ、N-(1-6C)アルキル-ヘテロサイクリルアミノ、ヘテロサイクリル-(1-6C)アルキルアミノ、N-(1-6C)アルキル-ヘテロサイクリル-(1-6C)アルキルアミノ、ヘテロサイクリルカルボニルアミノ、ヘテロサイクリルスルホニルアミノ、N-ヘテロサイクリルスルファモイル若しくはヘテロサイクリル-(2-6C)アルカノイルアミノであり、ここでR1置換基中のどのアリール、ヘテロアリールまたはヘテロサイクリル基も場合により、ヒドロキシ、ハロゲノ、(1-6C)アルキル、(1-6C)アルコキシ、カルボキシ、(1-6C)アルコキシカルボニル、N-(1-6C)アルキルカルバモイル、N,N-ジ-[(1-6C)アルキル]カルバモイル、(2-6C)アルカノイル、アミノ、(1-6C)アルキルアミノ、ジ-[(1-6C)アルキル]アミノ、ハロゲノ-(1-6C)アルキル、ヒドロキシ-(1-6C)アルキル、(1-6C)アルコキシ-(1-6C)アルキル、シアノ-(1-6C)アルキル、アミノ-(1-6C)アルキル、(1-6C)アルキルアミノ-(1-6C)アルキル、ジ-[(1-6C)アルキル]アミノ-(1-6C)アルキル、アリール及びアリール-(1-6C)アルキルから選択される１または２個の置換基を保持することができ；
pは0、1または2であり；
R2は、ヒドロキシ、ハロゲノ、トリフルオロメチル、シアノ、メルカプト、ニトロ、アミノ、カルボキシ、(1-6C)アルコキシカルボニル、(1-6C)アルキル、(2-6C)アルケニル、(2-6C)アルキニル、(1-6C)アルコキシ、(1-6C)アルキルアミノまたはジ-[(1-6C)アルキル]アミノであり；
R4は、アミノ、(1-6C)アルキルアミノ、ジ-[(1-6C)アルキル]アミノ、アミノ-(1-6C)アルキル、(1-6C)アルキルアミノ-(1-6C)アルキル、ジ-[(1-6C)アルキル]アミノ-(1-6C)アルキル、アミノ-(2-6C)アルコキシ、(1-6C)アルキルアミノ-(2-6C)アルコキシ、ジ-[(1-6C)アルキル]アミノ-(2-6C)アルコキシ、アミノ-(2-6C)アルキルアミノ、(1-6C)アルキルアミノ-(2-6C)アルキルアミノ、ジ-[(1-6C)アルキル]アミノ-(2-6C)アルキルアミノ、N-(1-6C)アルキル-アミノ-(2-6C)アルキルアミノ、N-(1-6C)アルキル-(1-6C)アルキルアミノ-(2-6C)アルキルアミノ、N-(1-6C)アルキル-ジ-[(1-6C)アルキル]アミノ-(2-6C)アルキルアミノ、アミノ-(2-6C)アルカノイルアミノ、(1-6C)アルキルアミノ-(2-6C)アルカノイルアミノまたはジ-[(1-6C)アルキル]アミノ-(2-6C)アルカノイルアミノであるか、
R4は、ヘテロアリール、ヘテロアリール-(1-6C)アルキル、ヘテロアリールオキシ、ヘテロアリール-(1-6C)アルコキシ、ヘテロアリールアミノ、N-(1-6C)アルキル-ヘテロアリールアミノ、ヘテロアリール-(1-6C)アルキルアミノ、N-(1-6C)アルキル-ヘテロアリール-(1-6C)アルキルアミノ、ヘテロアリールカルボニルアミノ、ヘテロアリールスルホニルアミノ、N-ヘテロアリールスルファモイル、ヘテロアリール-(2-6C)アルカノイルアミノ、ヘテロアリール-(1-6C)アルコキシ-(1-6C)アルキル、ヘテロアリール-(1-6C)アルキルアミノ-(1-6C)アルキル、N-(1-6C)アルキル-ヘテロアリール-(1-6C)アルキルアミノ-(1-6C)アルキル、ヘテロサイクリル、ヘテロサイクリル-(1-6C)アルキル、ヘテロサイクリルオキシ、ヘテロサイクリル-(1-6C)アルコキシ、ヘテロサイクリルアミノ、N-(1-6C)アルキル-ヘテロサイクリルアミノ、ヘテロサイクリル-(1-6C)アルキルアミノ、N-(1-6C)アルキル-ヘテロサイクリル-(1-6C)アルキルアミノ、ヘテロサイクリルカルボニルアミノ、ヘテロサイクリルスルホニルアミノ、N-ヘテロサイクリルスルファモイル、ヘテロサイクリル-(2-6C)アルカノイルアミノ、ヘテロサイクリル-(1-6C)アルコキシ-(1-6C)アルキル、ヘテロサイクリル-(1-6C)アルキルアミノ-(1-6C)アルキルまたはN-(1-6C)アルキル-ヘテロサイクリル-(1-6C)アルキルアミノ-(1-6C)アルキルであり、
ここで2個の炭素原子に結合しているCH2基を含むか、1個の炭素原子に結合しているCH3基を含む上記定義のR4置換基のいずれも、場合により前記のそれぞれのCH2またはCH3基上に、ヒドロキシ、アミノ、(1-6C)アルコキシ、(1-6C)アルキルアミノ、ジ-[(1-6C)アルキル]アミノ及びヘテロサイクリルから選択される置換基を保持することができ、
ここでR4置換基中のどのアリール、ヘテロアリールまたはヘテロシクロサイクリル基も場合によりヒドロキシ、ハロゲノ、(1-6C)アルキル、(1-6C)アルコキシ、カルボキシ、(1-6C)アルコキシカルボニル、N-(1-6C)アルキルカルバモイル、N,N-ジ-[(1-6C)アルキル]カルバモイル、(2-6C)アルカノイル、アミノ、(1-6C)アルキルアミノ、ジ-[(1-6C)アルキル]アミノ、ハロゲノ-(1-6C)アルキル、ヒドロキシ-(1-6C)アルキル、(1-6C)アルコキシ-(1-6C)アルキル、シアノ-(1-6C)アルキル、アミノ-(1-6C)アルキル、(1-6C)アルキルアミノ-(1-6C)アルキル、ジ-[(1-6C)アルキル]アミノ-(1-6C)アルキル、アリール及びアリール-(1-6C)アルキルから選択される１または２個の置換基を保持することができ；
qは0、1、2、3または4であり；及び
Q2は、ヘテロアリール、ヘテロアリールオキシ、ヘテロアリール-(1-6C)アルコキシ、ヘテロアリールアミノ、N-(1-6C)アルキル-ヘテロアリールアミノ、ヘテロアリール-(1-6C)アルキルアミノ、N-(1-6C)アルキル-ヘテロアリール-(1-6C)アルキルアミノ、ヘテロアリールカルボニルアミノ、ヘテロアリールスルホニルアミノ、N-ヘテロアリールスルファモイルまたはヘテロアリール-(2-6C)アルカノイルアミノであり、及び
Q2は場合により、ヒドロキシ、ハロゲノ、トリフルオロメチル、シアノ、メルカプト、ニトロ、アミノ、カルボキシ、カルバモイル、ホルミル、(1-6C)アルキル、(2-6C)アルケニル、(2-6C)アルキニル、(1-6C)アルコキシ、(1-3C)アルキレンジオキシ、(1-6C)アルキルチオ、(1-6C)アルキルスルフィニル、(1-6C)アルキルスルホニル、(1-6C)アルキルアミノ、ジ-[(1-6C)アルキル]アミノ、(1-6C)アルコキシカルボニル、N-(1-6C)アルキルカルバモイル、N,N-ジ-[(1-6C)アルキル]カルバモイル、(2-6C)アルカノイル、(2-6C)アルカノイルオキシ、(1-6C)アルカノイルアミノ、N-(1-6C)アルキルスルファモイル、N,N-ジ-[(1-6C)アルキル]スルファモイル、(1-6C)アルカンスルホニルアミノ、N-(1-6C)アルキル-(1-6C)アルカンスルホニルアミノ、ハロゲノ-(1-6C)アルキル、ヒドロキシ-(1-6C)アルキル、(1-6C)アルコキシ-(1-6C)アルキル、シアノ-(1-6C)アルキル、アミノ-(1-6C)アルキル、(1-6C)アルキルアミノ-(1-6C)アルキル、ジ-[(1-6C)アルキル]アミノ-(1-6C)アルキル、カルボキシ-(1-6C)アルキル、(1-6C)アルコキシカルボニル-(1-6C)アルキル、カルバモイル-(1-6C)アルキル、N-(1-6C)アルキルカルバモイル-(1-6C)アルキル、N,N-ジ-[(1-6C)アルキル]カルバモイル-(1-6C)アルキル、ハロゲノ-(2-6C)アルコキシ、ヒドロキシ-(2-6C)アルコキシ、(1-6C)アルコキシ-(2-6C)アルコキシ、シアノ-(1-6C)アルコキシ、カルボキシ-(1-6C)アルコキシ、(1-6C)アルコキシカルボニル-(1-6C)アルコキシ、カルバモイル-(1-6C)アルコキシ、N-(1-6C)アルキルカルバモイル-(1-6C)アルコキシ、N,N-ジ-[(1-6C)アルキル]カルバモイル-(1-6C)アルコキシ、アミノ-(2-6C)アルコキシ、(1-6C)アルキルアミノ-(2-6C)アルコキシ、ジ-[(1-6C)アルキル]アミノ-(2-6C)アルコキシ、ハロゲノ-(2-6C)アルキルアミノ、ヒドロキシ-(2-6C)アルキルアミノ、(1-6C)アルコキシ-(2-6C)アルキルアミノ、シアノ-(1-6C)アルキルアミノ、カルボキシ-(1-6C)アルキルアミノ、(1-6C)アルコキシカルボニル-(1-6C)アルキルアミノ、カルバモイル-(1-6C)アルキルアミノ、N-(1-6C)アルキルカルバモイル-(1-6C)アルキルアミノ、N,N-ジ-[(1-6C)アルキル]カルバモイル-(1-6C)アルキルアミノ、アミノ-(2-6C)アルキルアミノ、(1-6C)アルキルアミノ-(2-6C)アルキルアミノ、ジ-[(1-6C)アルキル]アミノ-(2-6C)アルキルアミノ、N-(1-6C)アルキル-ハロゲノ-(1-6C)アルキルアミノ、N-(1-6C)アルキル-ヒドロキシ-(2-6C)アルキルアミノ、N-(1-6C)アルキル-(1-6C)アルコキシ-(2-6C)アルキルアミノ、N-(1-6C)アルキル-シアノ-(1-6C)アルキルアミノ、N-(1-6C)アルキル-カルボキシ-(1-6C)アルキルアミノ、N-(1-6C)アルキル-(1-6C)アルコキシカルボニル-(1-6C)アルキルアミノ、N-(1-6C)アルキル-カルバモイル-(1-6C)アルキルアミノ、N-(1-6C)アルキル-N-(1-6C)アルキルカルバモイル-(1-6C)アルキルアミノ、N-(1-6C)アルキル-N,N-ジ-[(1-6C)アルキル]カルバモイル-(1-6C)アルキルアミノ、N-(1-6C)アルキル-アミノ-(2-6C)アルキルアミノ、N-(1-6C)アルキル-(1-6C)アルキルアミノ-(2-6C)アルキルアミノ、N-(1-6C)アルキル-ジ-[(1-6C)アルキル]アミノ-(2-6C)アルキルアミノ、ハロゲノ-(2-6C)アルカノイルアミノ、ヒドロキシ-(2-6C)アルカノイルアミノ、(1-6C)アルコキシ-(2-6C)アルカノイルアミノ、シアノ-(2-6C)アルカノイルアミノ、カルボキシ-(2-6C)アルカノイルアミノ、(1-6C)アルコキシカルボニル-(2-6C)アルカノイルアミノ、カルバモイル-(2-6C)アルカノイルアミノ、N-(1-6C)アルキルカルバモイル-(2-6C)アルカノイルアミノ、N,N-ジ-[(1-6C)アルキル]カ��バモイル-(2-6C)アルカノイルアミノ、アミノ-(2-6C)アルカノイルアミノ、(1-6C)アルキルアミノ-(2-6C)アルカノイルアミノ、ジ-[(1-6C)アルキル]アミノ-(2-6C)アルカノイルアミノ、アリール、アリール-(1-6C)アルキル、アリール-(1-6C)アルコキシ、アリールオキシ、アリールアミノ、N-(1-6C)アルキル-アリールアミノ、アリール-(1-6C)アルキルアミノ、N-(1-6C)アルキル-アリール-(1-6C)アルキルアミノ、アロイルアミノ、アリールスルホニルアミノ、N-アリールスルファモイル、アリール-(2-6C)アルカノイルアミノ、ヘテロアリール、ヘテロアリール-(1-6C)アルキル、ヘテロアリールオキシ、ヘテロアリール-(1-6C)アルコキシ、ヘテロアリールアミノ、N-(1-6C)アルキル-ヘテロアリールアミノ、ヘテロアリール-(1-6C)アルキルアミノ、N-(1-6C)アルキル-ヘテロアリール-(1-6C)アルキルアミノ、ヘテロアリールカルボニルアミノ、ヘテロアリールスルホニルアミノ、N-ヘテロアリールスルファモイル、ヘテロアリール-(2-6C)アルカノイルアミノ、ヘテロアリール-(1-6C)アルコキシ-(1-6C)アルキル、ヘテロアリール-(1-6C)アルキルアミノ-(1-6C)アルキル、N-(1-6C)アルキル-ヘテロアリール-(1-6C)アルキルアミノ-(1-6C)アルキル、ヘテロサイクリル、ヘテロサイクリル-(1-6C)アルキル、ヘテロサイクリルオキシ、ヘテロサイクリル-(1-6C)アルコキシ、ヘテロサイクリルアミノ、N-(1-6C)アルキル-ヘテロサイクリルアミノ、ヘテロサイクリル-(1-6C)アルキルアミノ、N-(1-6C)アルキル-ヘテロサイクリル-(1-6C)アルキルアミノ、ヘテロサイクリルカルボニルアミノ、ヘテロサイクリルスルホニルアミノ、N-ヘテロサイクリルスルファモイル、ヘテロサイクリル-(2-6C)アルカノイルアミノ、ヘテロサイクリル-(1-6C)アルコキシ-(1-6C)アルキル、ヘテロサイクリル-(1-6C)アルキルアミノ-(1-6C)アルキル及びN-(1-6C)アルキル-ヘテロサイクリル-(1-6C)アルキルアミノ-(1-6C)アルキルから選択される１、２または３個の置換基で置換されており；
ここで2個の炭素原子に結合しているCH2基を含むか、1個の炭素原子に結合しているCH3基を含む上記定義のQ2上の置換基のいずれも、場合により前記のそれぞれのCH2またはCH3基上に、ヒドロキシ、アミノ、(1-6C)アルコキシ、(1-6C)アルキルアミノ、ジ-[(1-6C)アルキル]アミノ及びヘテロサイクリルから選択される置換基を保持することができ、
ここでQ2上の置換基中のどのアリール、ヘテロアリールまたはヘテロシクロサイクリル基も、場合によりヒドロキシ、ハロゲノ、(1-6C)アルキル、(1-6C)アルコキシ、カルボキシ、(1-6C)アルコキシカルボニル、N-(1-6C)アルキルカルバモイル、N,N-ジ-[(1-6C)アルキル]カルバモイル、(2-6C)アルカノイル、アミノ、(1-6C)アルキルアミノ、ジ-[(1-6C)アルキル]アミノ、ハロゲノ-(1-6C)アルキル、ヒドロキシ-(1-6C)アルキル、(1-6C)アルコキシ-(1-6C)アルキル、シアノ-(1-6C)アルキル、アミノ-(1-6C)アルキル、(1-6C)アルキルアミノ-(1-6C)アルキル、ジ-[(1-6C)アルキル]アミノ-(1-6C)アルキル、アリール及びアリール-(1-6C)アルキルから選択される１または２個の置換基を保持することができる]のアミド誘導体；またはその医薬的に許容可能な塩若しくはin-vivo開裂可能なエステル。
【請求項２】
Q2が、アミノ、(1-6C)アルキルアミノ、ジ-[(1-6C)アルキル]アミノ、アミノ(1-6C)アルキル、(1-6C)アルキルアミノ-(1-6C)アルキル、ジ-[(1-6C)アルキル]アミノ-(1-6C)アルキル、アミノ-(2-6C)アルコキシ、(1-6C)アルキルアミノ-(2-6C)アルコキシ、ジ-[(1-6C)アルキル]アミノ-(2-6C)アルコキシ、アミノ-(2-6C)アルキルアミノ、(1-6C)アルキルアミノ-(2-6C)アルキルアミノ、ジ-[(1-6C)アルキル]アミノ-(2-6C)アルキルアミノ、N-(1-6C)アルキル-アミノ-(2-6C)アルキルアミノ、N-(1-6C)アルキル-(1-6C)アルキルアミノ-(2-6C)アルキルアミノ、N-(1-6C)アルキル-ジ-[(1-6C)アルキル]アミノ-(2-6C)アルキルアミノ、アミノ-(2-6C)アルカノイルアミノ、(1-6C)アルキルアミノ-(2-6C)アルカノイルアミノ、ジ-[(1-6C)アルキル]アミノ-(2-6C)アルカノイルアミノ、ヘテロアリール、ヘテロアリール-(1-6C)アルキル、ヘテロアリール-(1-6C)アルコキシ、ヘテロサイクリル、ヘテロサイクリル-(1-6C)アルキル及びヘテロサイクリル-(1-6C)アルコキシから選択される塩基性置換基を保持する、酸素、窒素及び硫黄から選択される５個以下の環ヘテロ原子を持つ複素環式芳香族の5-若しくは6-員の単環式環または9-若しくは10-員の二環式環であり、ここでQ2上の塩基性置換基のどのヘテロアリールまたはヘテロサイクリル基も、場合によりハロゲノ、(1-6C)アルキル、(2-6C)アルカノイル、アミノ、(1-6C)アルキルアミノ及びジ-[(1-6C)アルキル]アミノから選択される１または２個の置換基を保持することができる、請求項１に記載の式Iのアミド誘導体。
【請求項３】
Q2が、ヒドロキシ、ハロゲノ、トリフルオロメチル、シアノ、ニトロ、アミノ、カルボキシ、(1-6C)アルキル、(1-6C)アルコキシ、(1-3C)アルキレンジオキシ、(1-6C)アルキルアミノ、ジ-[(1-6C)アルキル]アミノ及び(1-6C)アルコキシカルボニルから選択される１、２または３個の置換基を場合により保持する、酸素、窒素及び硫黄から選択される５個以下の環ヘテロ原子をそれぞれもつ、複素環式芳香族の5-若しくは6-員の単環式環、9-若しくは10-員の二環式環または13-若しくは14-員の三環式環である、請求項１に記載の式Iのアミド誘導体。
【請求項４】
R4は、アミノ、(1-6C)アルキルアミノ、ジ-[(1-6C)アルキル]アミノ、アミノ-(1-6C)アルキル、(1-6C)アルキルアミノ-(1-6C)アルキル、ジ-[(1-6C)アルキル]アミノ-(1-6C)アルキル、アミノ-(2-6C)アルコキシ、(1-6C)アルキルアミノ-(2-6C)アルコキシ、ジ-[(1-6C)アルキル]アミノ-(2-6C)アルコキシ、アミノ-(2-6C)アルキルアミノ、(1-6C)アルキルアミノ-(2-6C)アルキルアミノ、ジ-[(1-6C)アルキル]アミノ-(2-6C)アルキルアミノ、N-(1-6C)アルキル-アミノ-(2-6C)アルキルアミノ、N-(1-6C)アルキル-(1-6C)アルキルアミノ-(2-6C)アルキルアミノ、N-(1-6C)アルキル-ジ-[(1-6C)アルキル]アミノ-(2-6C)アルキルアミノ、ピリジル、イミダゾリル、ピリジル-(1-6C)アルキル、イミダゾリル-(1-6C)アルキル、ピリジル-(1-6C)アルコキシ、イミダゾリル-(1-6C)アルコキシ、ピロリジニル、ピペリジニル、モルホリニル、ピペラジニル、4-(1-6C)アルキルピペラジニル、ホモピペラジニル、4-(1-6C)アルキルホモピペラジニル、4-(2-6C)アルカノイルピペラジニル、ピロリジニル-(1-6C)アルキル、ピペリジニル-(1-6C)アルキル、モルホリニル-(1-6C)アルキル、ピペラジニル-(1-6C)アルキル、4-(1-6C)アルキルピペラジニル-(1-6C)アルキル、ホモピペラジニル-(1-6C)アルキル、4-(1-6C)アルキルホモピペラジニル-(1-6C)アルキル、4-(2-6C)アルカノイルピペラジニル-(1-6C)アルキル、ピロリジニルオキシ、ピペリジニルオキシ、1-(1-6C)アルキルピペリジニルオキシ、ピロリジニル-(2-6C)アルコキシ、ピペリジニル-(2-6C)アルコキシ、モルホリニル-(2-6C)アルコキシ、ピペラジニル-(2-6C)アルコキシ、4-(1-6C)アルキルピペラジニル-(2-6C)アルコキシまたは4-(2-6C)アルカノイルピペラジニル-(2-6C)アルコキシである、請求項１に記載の式Iのアミド誘導体。
【請求項５】
R3は、メチル、エチル、クロロまたはブロモであり；
mは0または1であり；
R1は、ヒドロキシ、フルオロ、クロロ、ブロモ、トリフルオロメチル、シアノ、アミノ、メチル、エチル、メトキシ、エトキシ、メチルアミノ、エチルアミノ、ジメチルアミノまたはジエチルアミノであり；
pは0であり；
R4は、アミノ、メチルアミノ、エチルアミノ、ジメチルアミノ、ジエチルアミノ、メチルアミノメチル、エチルアミノメチル、ジメチルアミノメチル、ジエチルアミノメチル、2-アミノエトキシ、3-アミノプロポキシ、2-メチルアミノエトキシ、2-エチルアミノエトキシ、3-メチルアミノプロポキシ、3-エチルアミノプロポキシ、2-ジメチルアミノエトキシ、2-ジエチルアミノエトキシ、3-ジメチルアミノプロポキシ、3-ジエチルアミノプロポキシ、ピリジル、ピリジルメチル、ピリジルメトキシ、ピロリジニル、ピペリジニル、モルホリニル、ピペラジニル、4-メチルピペラジニル、4-アセチルピペラジニル、ピロリジニルメチル、ピペリジニルメチル、モルホリニルメチル、ピペラジニルメチル、4-メチルピペラジニルメチル、4-アセチルピペラジニルメチル、ピペリジニルオキシ、1-メチルピペリジニルオキシ、2-(ピロリジニル)エトキシ、3-(ピロリジニル)プロポキシ、2-(ピペリジニル)エトキシ、3-(ピペリジニル)プロポキシ、2-(モルホリニル)エトキシ、3-(モルホリニル)プロポキシ、2-(ピペラジニル)エトキシ、3-(ピペラジニル)プロポキシ、2-(4-メチルピペラジニル)エトキシ、3-(4-メチルピペラジニル)プロポキシ、2-(4-アセチルピペラジニル)エトキシまたは3-(4-アセチルピペラジニル)プロポキシであり；
qは0であり；及び
Q2は、ヒドロキシ、フルオロ、クロロ、トリフルオロメチル、シアノ、アミノ、メチル、エチル、メトキシ、エトキシ、メチレンジオキシ、メチルアミノ、エチルアミノ、ジメチルアミノ、ジエチルアミノ、アミノメチル、メチルアミノメチル、エチルアミノメチル、ジメチルアミノメチル、ジエチルアミノメチル、2-ヒドロキシエトキシ、3-ヒドロキシプロポキシ、2-メトキシエトキシ、2-エトキシエトキシ、3-メトキシプロポキシ、3-エトキシプロポキシ、2-アミノエトキシ、3-アミノプロポキシ、2-メチルアミノエトキシ、2-エチルアミノエトキシ、3-メチルアミノプロポキシ、3-エチルアミノプロポキシ、2-ジメチルアミノエトキシ、2-ジエチルアミノエトキシ、3-ジメチルアミノプロポキシ、3-ジエチルアミノプロポキシ、ピリジル、ピリジルメチル、ピリジルメトキシ、ピロリジニル、ピペリジニル、モルホリニル、ピペラジニル、4-メチルピペラジニル、4-アセチルピペラジニル、ピロリジニルメチル、ピペリジニルメチル、モルホリニルメチル、ピペラジニルメチル、4-メチルピペラジニルメチル、4-アセチルピペラジニルメチル、ピペリジニルオキシ、1-メチルピペリジニルオキシ、2-(ピロリジニル)エトキシ、3-(ピロリジニル)プロポキシ、2-(ピペリジニル)エトキシ、3-(ピペリジニル)プロポキシ、2-(モルホリニル)エトキシ、3-(モルホリニル)プロポキシ、2-(ピペラジニル)エトキシ、3-(ピペラジニル)プロポキシ、2-(4-メチルピペラジニル)エトキシ、3-(4-メチルピペラジニル)プロポキシ、2-(4-アセチルピペラジニル)エトキシ及び3-(4-アセチルピペラジニル)プロポキシから選択される１または２個の置換基を場合により保持するフリル、チエニル、オキサゾリル、イソキサゾリル、イミダゾリル、ピラゾリル、チアゾリル、イソチアゾリル、ピリジル、ピリダジニル、ピリミジニル、ピラジニル、ベンゾフラニル、インドリル、ベンゾチオフェニル、ベンゾオキサゾリル、ベンゾイミダゾリル、ベンゾチアゾリル、インダゾリル、ベンゾフラザニル、キノリル、イソキノリル、キナゾリニル、キノキサリニルまたはナフチリジニルである、請求項１に記載の式Iのアミド誘導体；または医薬的に許容可能なその塩。
【請求項６】
R3は、メチルであり；
mは0であるかまたはmは1であり；及び
R1は、ヒドロキシ、フルオロ、クロロ、アミノ、メチル、メトキシ、メチルアミノまたはジメチルアミノであり；
p及びqはそれぞれ0であり；
R4は、3-位または4-位にあり、ジメチルアミノメチル、ジエチルアミノメチル、2-ジメチルアミノエトキシ、2-ジエチルアミノエトキシ、3-ジメチルアミノプロポキシ、3-ジエチルアミノプロポキシ、3-ジメチルアミノ-2-ヒドロキシプロポキシ、3-ジエチルアミノ-2-ヒドロキシプロポキシ、2-アミノエチルアミノ、3-アミノプロピルアミノ、4-アミノブチルアミノ、3-メチルアミノプロピルアミノ、2-ジメチルアミノエチルアミノ、2-ジエチルアミノエチルアミノ、3-ジメチルアミノプロピルアミノ、4-ジメチルアミノブチルアミノ、3-アミノ-2-ヒドロキシプロピルアミノ、3-ジメチルアミノ-2-ヒドロキシプロピルアミノ、N-(2-ジメチルアミノエチル)-N-メチルアミノ、N-(3-ジメチルアミノプロピル)-N-メチルアミノ、ピロリジン-1-イル、モルホリノ、ピペリジノ、ピペラジン-1-イル、4-メチルピペラジン-1-イル、4-エチルピペラジン-1-イル、4-(2-ヒドロキシエチル)ピペラジン-1-イル、4-メチルホモピペラジン-1-イル、ピペラジン-1-イルメチル、4-メチルピペラジン-1-イルメチル、4-メチルホモピペラジン-1-イルメチル、モルホリノメチル、3-アミノピロリジン-1-イルメチル、3-ヒドロキシピロリジン-1-イルメチル、4-(2-ヒドロキシエチル)ピペラジン-1-イルメチル、ピペリジン-4-イルオキシ、1-メチルピペリジン-4-イルオキシ、1-ベンジルピペリジン-4-イルオキシ、2-ピロリジン-1-イルエトキシ、3-ピロリジン-1-イルプロポキシ、2-ピペリジノエトキシ、3-ピペリジノプロポキシ、2-モルホリノエトキシ、3-モルホリノプロポキシ、2-ピペラジン-1-イルエトキシ、3-ピペラジン-1-イルプロポキシ、2-(4-メチルピペラジン-1-イル)エトキシ、3-(4-メチルピペラジン-1-イル)プロポキシ、2-ヒドロキシ-3-ピロリジン-1-イルプロポキシ、2-ヒドロキシ-3-ピペリジノプロポキシ、2-ヒドロキシ-3-モルホリノプロポキシ、ピペリジン-4-イルアミノ、1-メチルピペリジン-4-イルアミノ、1-ベンジルピペリジン-4-イルアミノ、2-ピロリジン-1-イルエチルアミノ、3-ピロリジン-1-イルプロピルアミノ、2-モルホリノエチルアミノ、3-モルホリノプロピルアミノ、2-ピペリジノエチルアミノ、3-ピペリジノプロピルアミノ、2-ピペラジン-1-イルエチルアミノ、3-ピペラジン-1-イルプロピルアミノ、2-(4-メチルピペラジン-1-イル）エチルアミノ、3-(4-メチルピペラジン-1-イル)プロピルアミノ、2-(1-メチルピロリジン-2-イル)エチルアミノ、3-(1-メチルピロリジン-2-イル)プロピルアミノ、2-ジメチルアミノエチルアミノメチル、3-ジメチルアミノプロピルアミノメチル、3-ジメチルアミノ-2,2-ジメチルプロピルアミノメチル、2-(1-メチルピロリジン-2-イルエチル)アミノメチル、3-ピロリジン-1-イルプロピルアミノメチル、2-モルホリノエチルアミノメチル、3-モルホリノプロピルアミノメチル、2-ピペラジン-1-イルエチルアミノメチル、3-(4-メチルピペラジン-1-イルプロピル)アミノメチル及び2-ピリジルメトキシから選択され；及び
Q2は、ピロリジン-1-イル、3-ヒドロキシピロリジン-1-イル、2-ヒドロキシメチルピロリジン-1-イル、モルホリノ、ピペリジノ、4-ヒドロキシピペリジン-1-イル及びピペラジン-1-イルから選択される置換基を保持する2-ピリジル、3-ピリジルまたは4-ピリジルである、請求項１に記載の式Iのアミド誘導体；または医薬的に許容可能なその塩。
【請求項７】
R3は、メチルであり；
mは0であるかまたはmは1であり；及び
R1は、ニトロまたはアミノであり；
p及びqはそれぞれ0であり；
R4は、3-位または4-位にあり、ジエチルアミノメチル、N-(3-ジメチルアミノプロピル)-N-メチルアミノ、ピロリジン-1-イル、モルホリノ、ピペリジノ、ピペラジン-1-イル、4-メチルピペラジン-1-イル、4-メチルホモピペラジン-1-イル、ピロリジン-1-イルメチル、ピペリジノメチル、モルホリノメチル、ピペラジン-1-メチル、4-メチルピペラジン-1-イルメチル、ホモピペラジン-1-イルメチル、4-メチルホモピペラジン-1-イルメチル、3-アミノピロリジン-1-イルメチル、3-ヒドロキシピロリジン-1-イルメチル、4-(2-ヒドロキシエチル)ピペラジン-1-イルメチル、ピロリジン-3-イルオキシ、N-メチルピロリジン-3-イルオキシ、ピペリジン-4-イルオキシ、N-メチルピペリジン-4-イルオキシ、N-エチルピペリジン-4-イルオキシ、N-イソプロピルピペリジン-4-イルオキシ、ホモピペリジン-4-イルオキシ、N-メチルホモピペリジン-4-イルオキシ、3-ピロリジン-1-イルプロピルアミノメチル、2-(1-メチルピロリジン-2-イルエチル)アミノメチル、2-モルホリノエチルアミノメチル、3-モルホリノプロピルアミノメチル、3-(4-メチルピペラジン-1-イルプロピル)アミノメチル、ピリド-2-イルメトキシ、チアゾール-4-イルメトキシ及び2-メチルチアゾール-4-イルメトキシから選択され；及び
Q2は、ピロリジン-1-イル、2-ヒドロキシメチルピロリジン-1-イル、モルホリノ及びピペリジノから選択される置換基を保持する2-ピリジル、3-ピリジルまたは4-ピリジルであり、最後の４つの命名置換基のいずれも場合により１または２個のメチル基を保持することができるか、またはQ2は2-若しくは4-ジベンゾフラニルである、請求項１に記載の式Iのアミド誘導体；または医薬的に許容可能なその塩。
【請求項８】
R3は、メチルであり；
mは0であるかまたはmは1であり；及び
R1は、ニトロまたはアミノであり；
p及びqはそれぞれ0であり；
R4は、3-位または4-位にあり、ジエチルアミノメチル、N-(3-ジメチルアミノプロピル)-N-メチルアミノ、ピロリジン-1-イル、モルホリノ、ピペリジノ、ピペラジン-1-イル、4-メチルピペラジン-1-イル、4-メチルホモピペラジン-1-イル、ピロリジン-1-イルメチル、ピペリジノメチル、モルホリノメチル、ピペラジン-1-イルメチル、4-メチルピペラジン-1-イルメチル、ホモピペラジン-1-イルメチル、4-メチルホモピペラジン-1-イルメチル、3-アミノピロリジン-1-イルメチル、3-ヒドロキシピロリジン-1-イルメチル、4-(2-ヒドロキシエチル)ピペラジン-1-イルメチル、ピロリジン-3-イルオキシ、ピペリジン-4-イルオキシ、3-ピロリジン-1-イルプロピルアミノメチル、2-(1-メチルピロリジン-2-イルエチル)アミノメチル、2-モルホリノエチルアミノメチル、3-モルホリノプロピルアミノメチル、3-(4-メチルピペラジン-1-イルプロピル)アミノメチルまたはピリド-2-イルメトキシから選択され；及び
Q2は、ピロリジン-1-イル、2-ヒドロキシメチルピロリジン-1-イル、モルホリノ及びピペリジノから選択される置換基を保持する2-ピリジル、3-ピリジルまたは4-ピリジルである、請求項１に記載の式Iのアミド誘導体；または医薬的に許容可能なその塩。
【請求項９】
R3は、メチルであり；
m、p及びqはそれぞれ0であり；
R4は、3-位または4-位にあり、ジエチルアミノメチル、4-メチルピペラジン-1-イル、モルホリノメチル、ピペラジン-1-イルメチル、4-メチルピペラジン-1-イルメチル、4-メチルホモピペラジン-1-イルメチル、3-ヒドロキシピロリジン-1-イルメチル、ピロリジン-3-イルオキシ、ピペリジン-4-イルオキシ、N-メチルピペリジン-4-イルオキシ、N-イソプロピルピペリジン-4-イルオキシ、N-メチルホモピペリジン-4-イルオキシ、2-(N-メチルピロリジン-2-イル)エトキシ、3-ジメチルアミノ-2,2-ジメチルプロピルアミノメチルN-(3-ジメチルアミノプロピル)-N-メチルアミノメチル、3-モルホリノプロピルアミノメチル及び2-メチルチアゾール-4-イルメトキシから選択され；及び
Q2は、モルホリノ、ピペリジノ、3-メチルピペリジン-1-イル及びホモピペリジン-1-イルから選択される置換基を保持する4-ピリジルであるか、Q2は4-ジベンゾフラニルである、請求項１に記載の式Iのアミド誘導体；または医薬的に許容可能なその塩。
【請求項１０】
N-[4-メチル-3-[3-(4-メチルピペラジン-1-イルメチル)ベンズアミド]フェニル]フラン-2-カルボキサミド；
N-[4-メチル-3-[3-(4-メチルピペラジン-1-イルメチル)ベンズアミド]フェニル]イソキサゾール-5-カルボキサミド；
N-[3-(4-ジエチルアミノメチルベンズアミド)-4-メチルフェニル]-2-モルホリノピリジン-4-カルボキサミド；
N-[3-[3-(4-メチルピペラジン-1-イルメチル)ベンズアミド]-4-メチルフェニル]-2-ピロリジン-1-イルピリジン-4-カルボキサミド；
N-[3-[3-(4-メチルピペラジン-1-イルメチル)ベンズアミド]-4-メチルフェニル]-2-モルホリノピリジン-4-カルボキサミド；
N-[3-[3-(4-メチルホモピペラジン-1-イルメチル)ベンズアミド]-4-メチルフェニル]-2-モルホリノピリジン-4-カルボキサミド；
N-[3-[4-(4-メチルホモピペラジン-1-イルメチル)ベンズアミド]-4-メチルフェニル]-2-モルホリノピリジン-4-カルボキサミド；
N-[3-(3-ピペラジン-1-イルメチルベンズアミド)-4-メチルフェニル]-2-モルホリノピリジン-4-カルボキサミド；
N-[3-[4-(3-ヒドロキシピロリジン-1-イルメチル)ベンズアミド]-4-メチルフェニル]-2-モルホリノピリジン-4-カルボキサミド；
N-[3-[3-(3-ピロリジン-1-イルプロピルアミノメチル)ベンズアミド]-4-メチルフェニル]-2-モルホリノピリジン-4-カルボキサミド；
N-[3-[4-(3-モルホリノプロピルアミノメチル)ベンズアミド]-4-メチルフェニル]-2-モルホリノピリジン-4-カルボキサミド；
N-[3-(3-ジエチルアミノメチルベンズアミド)-4-メチルフェニル]-2-モルホリノピリジン-4-カルボキサミド；
N-[3-(4-ジエチルアミノメチルベンズアミド)-4-メチルフェニル]-5-モルホリノピリジン-3-カルボキサミド；
N-[3-(4-ジエチルアミノメチルベンズアミド)-4-メチルフェニル]-2-ピペリジノピリジン-4-カルボキサミド；
N-[3-[3-(4-メチルピペラジン-1-イルメチル)ベンズアミド]-4-メチルフェニル]-2-(3-メチルピペリジン-1-イル)ピリジン-4-カルボキサミド；
N-[3-[3-(4-メチルピペラジン-1-イルメチル)ベンズアミド]-4-メチルフェニル]-2-ホモピペリジン-1-イルピリジン-4-カルボキサミド；
N-[4-メチル-3-(4-モルホリノメチルベンズアミド)フェニル]-2-モルホリノピリジン-4-カルボキサミド；
N-[3-[3-(3-ジメチルアミノ-2,2-ジメチルプロピルアミノメチル)ベンズアミド]-4-メチルフェニル]-2-モルホリノピリジン-4-カルボキサミド；
N-[3-[4-(3-ジメチルアミノ-2,2-ジメチルプロピルアミノメチル)ベンズアミド]-4-メチルフェニル]-2-モルホリノピリジン-4-カルボキサミド；
N-(3-[4-[N-(3-ジメチルアミノプロピル)-N-メチルアミノメチル]ベンズアミド]-4-メチルフェニル)-2-モルホリノピリジン-4-カルボキサミド；
N-[4-メチル-3-(3-ピペリジン-4-イルオキシベンズアミド)フェニル]-2-モルホリノピリジン-4-カルボキサミド；
N-[4-メチル-3-(3-ピロリジン-3-イルオキシベンズアミド)フェニル]-2-モルホリノピリジン-4-カルボキサミド；
N-[3-[3-(N-メチルホモピペリジン-4-イルオキシ)ベンズアミド]-4-メチルフェニル]-2-モルホリノピリジン-4-カルボキサミド；
N-(3-[3-[2-(N-メチルピロリジン-2-イル)エトキシ]ベンズアミド]-4-メチルフェニル)-2-モルホリノピリジン-4-カルボキサミド；
N-[4-メチル-3-[4-(2-メチルチアゾール-4-イルメトキシ)ベンズアミド]フェニル]-2-モルホリノピリジン-4-カルボキサミド；及び
N-[3-[3-(4-メチルピペラジン-1-イルメチル)ベンズアミド]-4-メチルフェニル]ジベンゾフラン-4-カルボキサミドから選択される、請求項１に記載の式Iのアミド誘導体または医薬的に許容可能なその塩。
【請求項１１】
請求項１に記載の式Iのアミド誘導体、または医薬的に許容可能なその塩若しくはin-vivo開裂可能なエステルの製造プロセスであって、
(a)標準的なアミド結合形成条件下、式II：
【化２】
2002525358.tif 000002
のアニリンと、式III：
【化３】
2002525358.tif 000003
の酸、またはその反応性誘導体とを反応させ、ここで可変基は請求項１の定義通りであり、全ての官能基は必要により保護されており、次いで
(i)全ての保護基を除去し；次いで
(ii)場合により、医薬的に許容可能な塩若しくはin-vivo開裂可能なエステルを形成し；
(b)標準的なアミド結合形成条件下で、式V：
【化４】
2002525358.tif 000004
の酸、またはその活性化誘導体と、式VII：
【化５】
2002525358.tif 000005
のアニリンとを反応させ、ここで可変基は請求項１の定義通りであり、全ての官能基は必要により保護されており、次いで；
(i)全ての保護基を除去し、次いで
(ii)場合により、医薬的に許容可能な塩若しくはin-vivo開裂可能なエステルを形成し；
(c)式I[式中、R1、R4またはQ2上の置換基は、(1-6C)アルコキシまたは置換(1-6C)アルコキシ、(1-6C)アルキルチオ、(1-6C)アルキルアミノ、ジ-[(1-6C)アルキル]アミノまたは置換(1-6C)アルキルアミノである]の化合物の製造に関しては、好都合には好適な塩基の存在下、好適には式I[式中、R1、R4またはQ2上の置換基は、ヒドロキシ、メルカプトまたはアミノである]のアミド誘導体のアルキル化；
(d)式I[式中、Q2上の置換基は、アミノ、(1-6C)アルキルアミノ、ジ-[(1-6C)アルキル]アミノ、置換(1-6C)アルキルアミノ、置換N-(1-6C)アルキル-(2-6C)アルキルアミノまたはN-結合ヘテロサイクリル基である]の化合物の製造に関しては、好都合には好適な塩基の存在下、式I[式中、Q2上の置換基は、好適な離脱基である]のアミド誘導体と好適なアミンとの反応；
(e)式I[式中、R1、R4またはQ2上の置換基は、(1-6C)アルカノイルアミノまたは置換(2-6C)アルカノイルアミノである]の化合物の製造に関しては、式I[式中、R1、R4またはQ2上の置換基は、アミノである]の化合物のアシル化；
(f)式I[式中、R1またはQ2上の置換基は、(1-6C)アルカンスルホニルアミノである]の化合物の製造に関しては、式I[式中、R1またはQ2上の置換基は、アミノである]の化合物と、(1-6C)アルカンスルホン酸またはその活性化誘導体との反応；または
(g)式I[式中、R1またはQ2上の置換基は、カルボキシ、カルボキシ-(1-6C)アルキル、カルボキシ-(1-6C)アルコキシ、カルボキシ-(1-6C)アルキルアミノ、N-(1-6C)アルキル-カルボキシ-(1-6C)アルキルアミノまたはカルボキシ-(2-6C)アルカノイルアミノである]の化合物の製造に関しては、式I[式中、R1またはQ2上の置換基は、好適には(1-6C)アルコキシカルボニル、(1-6C)アルコキシカルボニル-(1-6C)アルキル、(1-6C)アルコキシカルボニル-(1-6C)アルコキシ、(1-6C)アルコキシカルボニル-(1-6C)アルキルアミノ、N-(1-6C)アルキル-(1-6C)アルコキシカルボニル-(1-6C)アルキルアミノまたは(1-6C)アルコキシカルボニル-(2-6C)アルカノイルアミノである]の化合物の開裂の各段階を含む、前記製造プロセス。
【請求項１２】
医薬的に許容可能な希釈剤またはキャリヤと組み合わせた、請求項１に記載の式Iのアミド誘導体または医薬的に許容可能なその塩若しくはin-vivo開裂可能なエステルを含む、医薬組成物。
【請求項１３】
サイトカインにより媒介された症状を処置するのに使用する薬剤の製造における、請求項１に記載の式Iのアミド誘導体、または医薬的に許容可能なその塩若しくはin-vivo開裂可能なエステルの使用。
【請求項１４】
請求項１に記載の式Iのアミド誘導体、または医薬的に許容可能なその塩若しくはin-vivo開裂可能なエステルの有効量を、温血動物に投与することを含む、サイトカインにより媒介された症状または疾患を治療する方法。